(57)【特許請求の範囲】
【請求項１】
片面に断面半円形の溝が形成された板状のコンクリートブロックと、両面に断面半円形の溝が形成された板状のコンクリートブロックとを積層して断面円形の挿通孔を形成し、該挿通孔内に電線を挿通すべき電線保護管を挿入する電線共同溝用コンクリートブロックにおいて、
前記挿通孔の下半部は断面半円形とし、上半部は少なくとも前記電線保護管を前記下半部の溝の一部と共同して遊嵌できる断面異形とした電線共同溝用コンクリートブロックであって、
前記断面異形の上半部の溝は、前記下半部の溝の断面の半径と略同じ半径の円弧部と該円弧部の両端から斜めに所定角度で外方向に広がるテーパー部とを有する断面円弧形に形成されていることを特徴とする電線共同溝用コンクリートブロック。
【請求項２】
請求項1記載の電線共同溝用コンクリートブロックを長手方向へ所要数整列し、かつ、垂直方向で多段に重ねて断面内に形成される挿通孔内に電線保護管を挿通する電線共同溝の施工法であって、
前記断面半円形の下半部の溝と断面円弧形の上半部の溝で形成される挿通孔内に、前記ブロックの端部から前記上半部の溝側に電線保護管を持ち上げた状態で押し込んだ後、該電線保護管を下降させて下半部の溝に落着させることを特徴とする電線共同溝用の電線保護管後入れ工法。
【請求項３】
前記電線共同溝用コンクリートブロックは千鳥状配置で積層されることを特徴とする請求項２記載の電線共同溝用の電線保護管後入れ工法。
【発明の詳細な説明】
【０００１】
【発明の属する技術分野】
この発明は電線共同溝用コンクリートブロック及びその電線保護管後入れ工法に係るもので、片面及び両面に１又は複数の溝を形成した板状のコンクリートブロックの複数枚を重ねて形成される挿通孔内に、電線保護管を挿通して電線共同溝とする場合に、前記ブロックを積み重ねた後その挿通孔内に電線保護管を押し込むことができる後入れ工法に関する。
【０００２】
【従来の技術】
近年、市街地における電柱を取り払い、電力線や電話線等を地中に埋設することが奨励され、そのためにプレキャストコンクリートブロックからなる電線共同溝が多用されるようになった。
【０００３】
電線共同溝には種々の形態があるが、とりわけ、電線等を挿通する合成樹脂からなる電線保護管の挿通孔を矩形等の所定形状の断面内に設けたプレキャストコンクリートブロックが知られている。これは、一般的には、片面に複数本の断面半円形の溝を形成してなる所定長さ及び肉厚の方形のコンクリート板状体と、両面に複数本の断面半円形の溝を形成してなる所定長さ及び肉厚の方形のコンクリート板状体との複数個を垂直方向で積層することにより形成される円孔からなる挿通孔内に前記電線保護管を挿通するものである。
【０００４】
すなわち、図９に示すように、積層した最上段のコンクリートブロック３１と最下段のコンクリートブロック３３とはそれぞれ片面に複数の断面半円形の溝３４が形成されているが、中段のコンクリートブロック３２は両面に断面半円形の溝３４が形成されている。コンクリートブロック３１，３２，３３を垂直方向で重ねるとき、下段の溝３４内に電線保護管３６を嵌め込んだ後、その電線保護管３６の上に上段の溝３４が合致するように順次重ねるのである。電線保護管３６は円孔３５の内径と略同一の外径を有する。なお、コンクリートブロック３１，３２，３３の重なり面３７，３７には互いに係合するガイドピン３８と穴３９，３９の組み合わせからなる位置合わせ・側方ずれ防止手段が適宜間隔で長手側の両サイドに介在する。
【０００５】
コンクリートブロック３１，３２，３３はそれぞれ所定長さ（図の奥行き方向）でプレキャストされ、水平方向で継ぎ足す場合には各ブロックを上中下段で千鳥状配置で連設すれば無限に延長できるのに反し、電線保護管３６は必ず端部を突き合わせ、径大で所定長さの接続管４０で互いに結合しなければならない。この接続管４０は電線保護管３６の外径よりも大きくて前記円孔３５に挿入することはできない。そのため、電線保護管３６を接続するときは、図１０に示すように、水平方向で隣接する二つの電線共同溝４１，４１の端部を適宜の距離で離間し、対面させた端部の円孔３５，３５から露出する電線保護管３６，３６に径大の接続管４０を嵌合し、その接続管４０を土で埋め戻してその上に鉄板等の保護板４２をかぶせて終了するという施工をしていた。
【０００６】
【発明が解決しようとする課題】
しかしながら、上記従来の電線共同溝の施工法では、コンクリートブロック３１，３２，３３を垂直方向で重ねるとき、下段の溝３４内に電線保護管３６を嵌め込んだ後、その電線保護管３６の上に上段の溝３４が合致するように順次重ねる作業は、溝３４毎に電線保護管３６を一本づつ敷設する作業であって、繁雑さを伴うために作業能率が著しく低下するという欠点がある。
【０００７】
また、電線保護管３６の接続部（接続管４０）は所定の距離で離間する電線共同溝４１，４１間に、言わば裸のまま土中に埋設されることとなるために、地盤沈下等による震動で一方の電線共同溝４１が沈むと、電線保護管３６は損傷破壊する危険性が高く、要するに当該部分の保護が十分ではないと云う不都合が生じていた。
【０００８】
そこで、この発明は、上記事情に鑑みて、電線共同溝への電線保護管の敷設作業を省略して作業能率向上を図るとともに、接続部を電線保護管と同じようにコンクリートブロック内に収納できるようにした電線共同溝用コンクリートブロック及びその電線保護管後入れ工法を提供する。
【０００９】
【課題を解決するための手段】
この発明にかかる電線保護管の接続部を有する電線共同溝用コンクリートブロックは、片面に断面半円形の溝が形成された板状のコンクリートブロックと、両面に断面半円形の溝が形成された板状のコンクリートブロックとを積層して断面円形の挿通孔を形成し、該挿通孔内に電線を挿通すべき電線保護管を挿入する電線共同溝用コンクリートブロックにおいて、前記挿通孔の下半部は断面半円形とし、上半部は少なくとも前記電線保護管を前記下半部の溝の一部と共同して遊嵌できる断面異形とした電線共同溝用コンクリートブロックであって、前記断面異形の上半部の溝は、前記下半部の溝の断面の半径と略同じ半径の円弧部と該円弧部の両端から斜めに所定角度で外方向に広がるテーパー部とを有する断面円弧形に形成されていることを特徴とする。
【００１１】
さらに、この発明にかかる電線共同溝用の電線保護管後入れ工法は、請求項1記載の電線共同溝用コンクリートブロックを長手方向へ所要数整列し、かつ、垂直方向で多段に重ねて断面内に形成される挿通孔内に電線保護管を挿通する電線共同溝の施工法であって、前記断面半円形の下半部の溝と断面円弧形の上半部の溝で形成される挿通孔内に、前記ブロックの端部から前記上半部の溝側に電線保護管を持ち上げた状態で押し込んだ後、該電線保護管を下降させて下半部の溝に落着させることを特徴とする。
【００１２】
そして、前記電線共同溝用コンクリートブロックは千鳥状配置で積層されることを特徴とする。
【００１３】
したがって、ブロックを垂直方向へ重ねて形成される挿通孔内に電線保護管を挿通孔の上半部側で押し込んで行けば、電線共同溝を簡便・迅速かつ容易に施工することができるとともに、接続部を有する電線保護管も挿通でき、したがって、電線保護管は電線共同溝から露出した部位でなく、電線保護管と同様に電線共同溝内に収納できて、その保護が万全となる。
【００１４】
【発明の実施の形態】
以下、この発明の実施の形態を図に基づき説明する。図１及び図２に示すように、片面に断面半円形の溝２を形成したプレキャストコンクリートからなる方形板状のブロック１と、上面に断面半円形の溝２を、下面に断面円弧形の溝３を形成したプレキャストコンクリートからなる方形板状のブロック４と、片面に断面円弧形の溝３を形成したプレキャストコンクリートからなる方形板状のブロック５との各片面を重ね合わせ、垂直方向で多段かつ水平方向へ所要数並列して電線共同溝を形成する。
【００１５】
ブロック１は最下段にのみ使用され、ブロック４は最上段と最下段との間に介在され、ブロック５は最上段にのみ使用されるもので、これらのブロック１，４，５には、前記従来例同様に、穴６とピン７による位置合わせ・側方ずれ防止手段が従来同様に重ね合わせる片面の両サイドに形成されている。穴６は切頭円錐形であり、穴６ａは切頭長円錐形である。
【００１６】
上下で合致する溝２，３は、電線保護管８を長手方向で挿通する断面形状がトンネル形の挿通孔９を形成する。電線保護管８内には電線が挿通される。ここで、図２に示すように、溝２は電線保護管８の外径と略同一であってもよいが、好ましくはその接続管８ａの半径ｒと同一かそれよりもやや大きい程度の内径を有する半円形の溝である。溝３は溝２の半径ｒと同じ半径ｒを有するとともに、その両側に傾斜面を設けた断面円弧形である。すなわち、溝３は中心Ｃ2から所定の半径ｒで形成される円弧部１０と、この円弧部１０の両端部から所定の角度θ（１〜１５度）で外方へ拡がるテーパー部１１を有する。
【００１７】
なお、接続管８ａは電線保護管８の端部に嵌合して二つの電線保護管８，８を連結するものである。そして、接続管８ａを使用することなく、電線保護管８の一端部を所定長さで拡径し、その拡径端部に他の電線保護管８の一端部を挿入して結合することに代えてもよいことは勿論である。また、溝３は断面多角形でもよい。このように、接続管８ａを収納できるようにするために、前記溝２は、図３及び図４に示すように、テーパー部１１と似たようなテーパー部１１ａを、接続管８ａの中心Ｃ1からその外径までの半径ｒの円弧部の両端部側に有する断面円弧形溝２ａに形成して、接続管８ａと電線保護管８とを共に収納できる断面略紡錘形の挿通孔９ａを形成できるものとしてもよい。
【００１８】
したがって、挿通孔９，９ａは、電線保護管８を上下方向で溝３側に配置すると楽に遊嵌できる反面、図２及び図４に仮想線図示のように、溝２側に配置すればその電線保護管８及び接続管８ａはブロック１又は４に支持されて落着することができる。
【００１９】
次に、上記ブロック１，４，５を用いて電線共同溝を施工する例を説明すると、図５に示すように、ブロック１を固定した後、穴６にピン７を嵌合してブロック４をブロック１に重ね、同様にしてブロック４にブロック５を重ねる。この場合、必要であればブロック４を複数枚積層する。図６及び図７に示すように、積み重ねたブロック１，４，５で形成する電線共同溝１２の端部からそれぞれの挿通孔９内に、電線共同溝１２の長さ以上の長さを有する電線保護管８を前記溝３側へ持ち上げて挿入した後、図８に示すように、電線保護管８を溝２側へ下降させて溝２内に落着させるのである。電線保護管８は樹脂製で撓む性質を有するので、電線保護管８の挿入端部が挿通孔９の天井に接触するようにして押し込む。この場合、電線保護管８が接続管８ａを有していても同じようにして挿通孔９内に押し込めばよい。
【００２０】
かくして、電線共同溝の施工に当たり、ブロック１の上面の溝２に電線保護管８を敷設した後ブロック４を重ね、さらにブロック４の溝２に電線保護管８を敷設した後ブロック５を重ねるという従来の繁雑な施工に比べ、ブロック１，４，５を重ねる施工後に形成される挿通孔９内に電線保護管８を押し込んで行けばよいので、作業が簡便化されて作業能率が向上し、工期の短縮化が可能となる。
【００２１】
【発明の効果】
以上説明したこの発明によれば、電線共同溝用コンクリートブロックを千鳥状配置等の積み重ね施工で形成される挿通孔内に、電線保護管を挿通するだけの工程で足りるから、電線共同溝の施工作業が簡便化されて作業能率が向上し、工期の短縮化が図れるほか、電線保護管の接続部を地中に剥き出しすることなく、電線保護管と共に電線共同溝内に収納できるようにしたから、接続部が電線保護管と同様に保護される。したがって、接続管の強度も従来に比べれば低くて足り、また、地盤沈下等に遭遇しても千鳥状配置のために電線共同溝が折損することなく耐えて電線保護管を保護し、また、挿通孔は電線保護管を上下動させ得るクリアランスを有するから、地盤沈下等による電線共同溝と電線保護管との変位の差を吸収できる、等の効果を奏する。
【図面の簡単な説明】
【図１】この発明の実施の形態を示す断面正面図
【図２】図１の要部拡大断面図
【図３】この発明の他の実施の形態を示す断面正面図
【図４】図３の要部拡大断面図
【図５】図１の分解斜視図
【図６】初期施工工程の斜視図
【図７】施工工程の断面図
【図８】最終施工工程の断面図
【図９】従来例の断面正面図
【図１０】従来例の施工断面側面図
【符号の説明】
１，４，５…コンクリートブロック
２，３…溝
８…電線保護管
８ａ…接続管
９…挿通孔
１０…円弧部
１１…テーパー部
１２…電線共同溝
【図１】
0003929137.tif 000002
【図２】
0003929137.tif 000003
【図３】
0003929137.tif 000004
【図４】
0003929137.tif 000005
【図５】
0003929137.tif 000006
【図６】
0003929137.tif 000007
【図７】
0003929137.tif 000008
【図８】
0003929137.tif 000009
【図９】
0003929137.tif 000010
【図１０】
0003929137.tif 000011